(57)【要約】【課題】複数の画像供給装置から入力される画像のいずれかを簡単に選択して表示できる表示装置、表示装置の制御方法、及びプログラムを提供する。【解決手段】プロジェクター１１は、ＰＣ１３から入力された入力画像データを表示する投射部３と、スクリーンＳＣ上の表示領域を複数の領域に分割し、分割した各領域に、複数のＰＣ１３の各々から入力される複数の入力画像データを表示する分割表示状態と、いずれか一つの入力画像データを表示領域全体に表示する全領域表示状態とを切り替える表示制御部１０７と、いずれかの入力画像データが所定の状態であることを検出する画像検出部１２５と、を備え、表示制御部１０７は、画像検出部１２５によっていずれかの入力画像データが所定の状態であると検出された場合に、検出された入力画像データを、投射部３によって全領域表示状態で表示させる。【選択図】図１
2012220595.tif 000002
【特許請求の範囲】
【請求項１】
画像供給装置から入力される入力画像を表示する表示装置であって、
前記入力画像を表示する表示手段と、
前記表示手段の表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替える表示制御手段と、
いずれかの前記入力画像が所定の状態であることを検出する画像検出手段と、を備え、
前記表示制御手段は、前記画像検出手段によっていずれかの前記入力画像が所定の状態であると検出された場合に、検出された前記入力画像を、前記表示手段によって前記全領域表示状態で表示させること、
を特徴とする表示装置。
【請求項２】
前記画像検出手段は、前記入力画像が、画像内にウィンドウ枠が設けられてウィンドウ枠内にオブジェクトが表示された枠画像か、又は、画像内にウィンドウ枠のない状態でオブジェクトが画像全体に表示された全画面画像かを判別し、全画面画像であった場合に、この前記入力画像が前記所定の状態であることを検出すること、を特徴とする請求項１に記載の表示装置。
【請求項３】
前記画像検出手段は、前記所定の状態であることを検出した前記入力画像が、前記所定の状態でなくなったことを検出し、
前記表示制御手段は、前記全領域表示状態で表示中の前記入力画像が、前記画像検出手段によって前記所定の状態でなくなったと検出された場合に、前記全領域表示状態から前記分割表示状態に切り替えることを特徴とする請求項１又は２に記載の表示装置。
【請求項４】
前記表示制御手段は、いずれかの前記入力画像を前記表示手段によって前記全領域表示状態で表示中に、前記画像検出手段によって他の前記画像供給装置から入力される前記入力画像が前記所定の状態であることが検出された場合に、この新たに前記所定の状態であることが検出された前記入力画像を前記全領域表示状態で表示することを特徴とする請求項１から３のいずれかに記載の表示装置。
【請求項５】
前記画像供給装置から前記入力画像が入力されるデジタルインターフェイスを備え、このデジタルインターフェイスを介してデジタル画像データが入力されることを特徴とする請求項１から４のいずれかに記載の表示装置。
【請求項６】
画像供給装置から入力される入力画像を表示する表示手段を備えた表示装置の制御方法であって、
前記表示手段が表示する表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替え、
いずれかの前記入力画像が所定の状態であることを検出した場合に、検出した前記入力画像を、前記表示手段によって前記全領域表示状態で表示させることを特徴とする表示装置の制御方法。
【請求項７】
画像供給装置から入力される入力画像を表示する表示手段を備えた表示装置を制御するコンピューターが実行可能なプログラムであって、
前記コンピューターを、
いずれかの前記入力画像が所定の状態であることを検出する画像検出手段と、
前記表示手段が表示する表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替え、前記画像検出手段によっていずれかの前記入力画像が所定の状態であると検出された場合に、検出された前記入力画像を、前記表示手段によって前記全領域表示状態で表示させる表示制御手段と、
して機能させることを特徴とするプログラム。
【発明の詳細な説明】
【技術分野】
【０００１】
本発明は、画像を表示する表示装置、表示装置の制御方法、及び、プログラムに関する。
【背景技術】
【０００２】
従来、表示領域を複数に分割して異なる複数の画像を表示する態様（いわゆる分割表示）と、表示領域全体に一つの画像を表示する通常の態様（いわゆる全画面表示）とを切り替え可能な表示装置が知られている（例えば、特許文献１参照）。この種の表示装置は、複数のパーソナルコンピューター等の画像供給装置に接続され、各画像供給装置から入力される画像による分割表示と、いずれかの画像供給装置から入力される画像を表示する全画面表示とを切り替え可能に構成されている。
【先行技術文献】
【特許文献】
【０００３】
【特許文献１】特開２００６−３３０４６８号公報
【発明の概要】
【発明が解決しようとする課題】
【０００４】
ところで、分割表示から全画面表示への切り替えを行う場合には、画像供給装置または表示装置を操作して、分割表示している画像のどれか一つを選択するため、何らかの操作を行う必要があり、手間がかかるという問題があった。
本発明は、上述した従来の技術が有する課題を解消し、複数の画像供給装置から入力される画像のいずれかを簡単に選択して表示できる表示装置、表示装置の制御方法、及びプログラムを提供することを目的とする。
【課題を解決するための手段】
【０００５】
上記目的を達成するために、本発明は、画像供給装置から入力される入力画像を表示する表示装置であって、前記入力画像を表示する表示手段と、前記表示手段の表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替える表示制御手段と、いずれかの前記入力画像が所定の状態であることを検出する画像検出手段と、を備え、前記表示制御手段は、前記画像検出手段によっていずれかの前記入力画像が所定の状態であると検出された場合に、検出された前記入力画像を、前記表示手段によって前記全領域表示状態で表示させることを特徴とする。
本発明によれば、複数の画像供給装置から入力される入力画像のうち、いずれかの入力画像が所定の状態になると、この入力画像が表示領域全体に表示されるので、分割表示状態からの切り替えを指示する操作や表示領域全体に表示する入力画像を指定する操作等を行わなくても、容易に表示状態を切り替えさせ、所望の入力画像を表示領域全体に表示できる。
【０００６】
また、本発明は、上記表示装置において、前記画像検出手段は、前記入力画像が、画像内にウィンドウ枠が設けられてウィンドウ枠内にオブジェクトが表示された枠画像か、又は、画像内にウィンドウ枠のない状態でオブジェクトが画像全体に表示された全画面画像かを判別し、全画面画像であった場合に、この前記入力画像が前記所定の状態であることを検出することを特徴とする。
本発明によれば、画像供給装置から入力される入力画像が、ウィンドウ枠がない全画面画像であれば、この入力画像が表示領域全体に表示されるので、画像供給装置が出力する画像の状態を制御するだけで、表示装置の表示状態を切り替えさせて、所望の入力画像を表示領域全体に表示できる。
【０００７】
また、本発明は、上記表示装置において、前記画像検出手段は、前記所定の状態であることを検出した前記入力画像が、前記所定の状態でなくなったこと検出し、前記表示制御手段は、前記全領域表示状態で表示中の前記入力画像が、前記画像検出手段によって前記所定の状態でなくなったと検出された場合に、前記全領域表示状態から前記分割表示状態に切り替えることを特徴とする。
本発明によれば、表示領域全体に表示されている入力画像が所定の状態でなくなった場合に、分割表示状態に切り替わるので、分割表示状態への切り替えを指示する操作等を行うことなく、容易に分割表示状態に戻すことができる。
【０００８】
また、本発明は、上記表示装置において、前記表示制御手段は、いずれかの前記入力画像を前記表示手段によって前記全領域表示状態で表示中に、前記画像検出手段によって他の前記画像供給装置から入力される前記入力画像が前記所定の状態であることが検出された場合に、この新たに前記所定の状態であることが検出された前記入力画像を前記全領域表示状態で表示することを特徴とする。
本発明によれば、表示領域全体に入力画像を表示している状態で他の入力画像が所定の状態になった場合には、後から所定の状態になった入力画像が表示領域全体に表示されるので、画像供給装置が出力する画像の状態を制御するだけで、入力画像の切り替え等を指示する操作を行うことなく、表示領域全体に表示する画像を切り替えることができる。
【０００９】
また、本発明は、上記表示装置において、前記画像供給装置から前記入力画像が入力されるデジタルインターフェイスを備え、このデジタルインターフェイスを介してデジタル画像データが入力されることを特徴とする。
本発明によれば、画像供給装置から入力される入力画像がデジタル画像データとして入力されるため、画質を劣化させることなく表示することができ、さらに、デジタル処理によって入力画像が所定の状態であることを容易に検出できる。
【００１０】
また、上記目的を達成するために、本発明は、画像供給装置から入力される入力画像を表示する表示手段を備えた表示装置の制御方法であって、前記表示手段が表示する表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替え、いずれかの前記入力画像が所定の状態であることを検出した場合に、検出した前記入力画像を、前記表示手段によって前記全領域表示状態で表示させることを特徴とする。
本発明の表示方法を実行することにより、複数の画像供給装置から表示装置に入力される入力画像のうち、いずれかの入力画像が所定の状態になると、この入力画像が表示領域全体に表示されるので、分割表示状態からの切り替えを指示する操作や表示領域全体に表示する入力画像を指定する操作等を行わなくても、容易に表示状態を切り替えさせ、所望の入力画像を表示領域全体に表示できる。
【００１１】
また、上記目的を達成するために、本発明は、画像供給装置から入力される入力画像を表示する表示手段を備えた表示装置を制御するコンピューターが実行可能なプログラムであって、前記コンピューターを、いずれかの前記入力画像が所定の状態であることを検出する画像検出手段と、前記表示手段が表示する表示領域を複数の領域に分割し、分割した各領域に、複数の前記画像供給装置の各々から入力される複数の前記入力画像を表示する分割表示状態と、いずれか一つの前記入力画像を前記表示領域全体に表示する全領域表示状態とを切り替え、前記画像検出手段によっていずれかの前記入力画像が所定の状態であると検出された場合に、検出された前記入力画像を、前記表示手段によって前記全領域表示状態で表示させる表示制御手段として機能させるプログラムである。
本発明のプログラムをコンピューターによって実行することにより、複数の画像供給装置から表示装置に入力される入力画像のうち、いずれかの入力画像が所定の状態になると、この入力画像が表示領域全体に表示されるので、分割表示状態からの切り替えを指示する操作や表示領域全体に表示する入力画像を指定する操作等を行わなくても、容易に表示状態を切り替えさせ、所望の入力画像を表示領域全体に表示できる。
【発明の効果】
【００１２】
本発明によれば、表示状態の切り替えを指示する操作や入力画像を指定する操作等を行わなくても、容易に表示状態を切り替えさせて、所望の入力画像を表示領域全体に表示できる。
【図面の簡単な説明】
【００１３】
【図１】本発明を適用した実施形態に係るプロジェクターの構成を示すブロック図である。
【図２】プロジェクターによってスクリーンＳＣに投射される画像の例を示す図であり、（Ａ）は分割表示状態の例を示し、（Ｂ）は全領域表示状態の例を示す。
【図３】ＰＣからプロジェクターに入力される入力画像の例を示す図であり、（Ａ）は枠画像の例であり、（Ｂ）は全画面画像の例である。
【図４】プロジェクターの動作を示すフローチャートである。
【図５】プロジェクターの動作を示すフローチャートである。
【図６】プロジェクターの動作の別の例を示すフローチャートである。
【発明を実施するための形態】
【００１４】
以下、図面を参照して本発明の実施形態について説明する。
図１は、本発明を適用した表示装置としてのプロジェクター１１を含む表示システム１０の機能的構成を示すブロック図である。プロジェクター１１は、画像供給装置としての複数のＰＣ（パーソナルコンピューター）１３に通信ネットワーク１７を介して接続され、これら複数のＰＣ１３からインターフェース（Ｉ／Ｆ）１０１を介して入力される入力画像をスクリーンＳＣに投射する装置である。入力画像をプロジェクター１１に供給する画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられるが、本実施形態では一例として、ＰＣ１３からデジタル画像データが入力される場合について説明する。
通信ネットワーク１７は、有線又は無線通信回線により構成されるＬＡＮ（Local Area Network）等の双方向通信可能なネットワークであり、各々のＰＣ１３とプロジェクター１１とを相互に通信可能に接続し、ＰＣ１３間の相互の通信も可能とする。
【００１５】
表示システム１０を構成する複数のＰＣ１３は、いずれも同一構成を有するので、ここでは一つのＰＣ１３について機能的構成を図示する。図１に示すように、ＰＣ１３は、所定のプログラムを実行してＰＣ１３の各部を制御するＣＰＵ１３１、ＣＰＵ１３１により実行される基本制御プログラムや基本制御プログラムに係るデータ等を不揮発的に記憶したＲＯＭ１３２、ＣＰＵ１３１が実行するプログラムやデータを一時的に記憶するＲＡＭ１３３、ＣＰＵ１３１が実行するアプリケーションプログラム等を記憶する記憶部１３４、キーボードやマウス等の入力デバイス（図示略）による入力操作を検出する入力部１３５、及び、ＣＰＵ１３１の制御に従って各種画面をモニター１４（表示画面）に表示する表示部１３６を備え、これらの各部はバスを介して相互に接続されている。
【００１６】
ＰＣ１３は、入力部１３５が検出した操作に従って動作を開始し、この操作により指定されたアプリケーションプログラムをＣＰＵ１３１によって実行し、例えば、プレゼンテーション用に複数の画像を含むプレゼンテーションファイル等の各種のデータを作成する。また、ＰＣ１３は、ＣＰＵ１３１によりプロジェクター１１を制御するためのプロジェクター制御プログラムを実行する。このプロジェクター制御プログラムの実行時、ＰＣ１３は、表示部１３６の機能によりモニター１４上に画像を表示するとともに、このモニター１４に表示されている画面と同じ画面を表示するための画像データをプロジェクター１１に送信する。
【００１７】
また、プロジェクター１１が備えるＩ／Ｆ１０１は、デジタルインターフェイスであり、ＤＶＩ規格やＨＤＭＩ規格等に準拠したコネクター及び入出力回路を備えたインターフェース、或いは、画像データや制御データが入出力されるＬＡＮインターフェースが挙げられる。
ＰＣ１３からＩ／Ｆ１０１に入力される入力画像の画像データには、画像データ自体とともに、当該画像データの画像フォーマット（立体映像のフォーマットや、フレームレート等を含む）に関する情報が含まれる。
【００１８】
プロジェクター１１は、静止画像および動画像（映像）のいずれであっても表示可能である。以下の説明では、ＰＣ１３から入力される静止画像を表示出力する場合を例に挙げて説明するが、以下の説明において入力画像を表示する処理は、動画像を表示する場合にもそのまま適用可能である。
本実施形態では、スクリーンＳＣはほぼ直立しており、スクリーン面は矩形形状とされている。プロジェクター１１に入力される画像は動画像（映像）と静止画像とのどちらでもよく、プロジェクター１１は映像をスクリーンＳＣに投射することも、静止画像をスクリーンＳＣに投射し続けることも可能である。
【００１９】
プロジェクター１１は、複数のＰＣ１３から入力される入力画像を、スクリーンＳＣ上の表示領域を分割して並べて表示する分割表示状態と、一つのＰＣ１３から入力される入力画像をスクリーンＳＣ上の表示領域全体に表示する全領域表示状態とを切り替え可能である。なお、表示領域とは、プロジェクター１１が投射した画像全体がスクリーンＳＣ等の投射面上で占める領域を示す。例えば、壁面などをスクリーンとして使用する場合には、プロジェクター１１の投射光が当たる範囲が表示領域となる。スクリーンＳＣにおいても壁面においても、プロジェクター１１の投射光が当たっていない部分は表示領域に含まれない。
図２は、プロジェクター１１がスクリーンＳＣに投射する画像の例を示す図であり、図２（Ａ）は分割表示状態の例を示し、図２（Ｂ）は全領域表示状態の例を示す。
この図２（Ａ）に示す状態では、スクリーンＳＣ上にプロジェクター１１の投射光により投射画像２００が結像する。投射画像２００は、複数の領域２０１に分割されており、各領域２０１には、それぞれ異なるＰＣ１３からの入力画像が表示されている。投射画像２００を分割する数は任意であるが、本実施形態では４つの領域２０１に分割した例について説明する。また、スクリーンＳＣ上の各領域２０１は、分割数に応じて略同一サイズの画面に分割される構成であってもよいし、ユーザーが操作パネル４５またはリモコン（図示略）の操作を行って、いずれかの領域２０１を拡大し、これに合わせて残りの領域２０１を縮小できる構成であってもよい。図２（Ａ）の例ではプロジェクター１１に４台のＰＣ１３が接続され、画面分割処理部１２６によって表示領域が４つに分割されているので、同一サイズの４つの領域２０１が並んでいる。
全領域表示状態において、プロジェクター１１は、スクリーンＳＣ上の表示領域に一つの入力画像を表示する。すなわち、図２（Ｂ）に例示するように、スクリーンＳＣの投射画像２１０では、一つのＰＣ１３からの入力画像がスクリーンＳＣ上の表示領域全体に表示されている。また、通常、入力画像の周縁は黒色で縁取られているため、スクリーンＳＣ上の投射画像２１０にも黒色の縁がある。
【００２０】
図１に示すように、プロジェクター１１は、大きく分けて光学的な画像の形成を行う投射部３（表示手段）と、この投射部３に入力される映像信号を電気的に処理する画像処理系とからなる。投射部３は、照明光学系３１、光変調装置としての液晶パネル３２、及び投射光学系３３から構成されている。照明光学系３１は、キセノンランプ、超高圧水銀ランプ、ＬＥＤ（Light Emitting Diode）等からなる光源を備えている。また、照明光学系３１は、光源が発した光を液晶パネル３２に導くリフレクター及び補助リフレクターを備えていてもよく、投射光の光学特性を高めるためのレンズ群（図示略）、偏光板、或いは光源が発した光の光量を液晶パネル３２に至る経路上で低減させる調光素子等を備えたものであってもよい。
液晶パネル３２は、後述する画像処理系からの信号を受けて、パネル面に画像を形成する。液晶パネル３２は、カラーの投影を行うため、ＲＧＢの三原色に対応した３枚の液晶パネルからなる。そのため、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
【００２１】
投射光学系３３は、投射する画像の拡大・縮小および焦点の調整を行うズームレンズ、ズームの度合いを調整するズーム調整用モーター、フォーカスの調整を行うフォーカス調整用モーター等を備えている。投射光学系３３は、液晶パネル３２で変調された入射光を、ズームレンズを用いてスクリーンＳＣ上に投射し、結像させる。
投射部３には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００２２】
画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介した操作を検出する入力処理部１２３、入力映像を処理する表示制御部１０７（表示制御手段）、Ｉ／Ｆ１０１から入力される入力画像を一時的に格納するバッファー部１１０、及び、表示制御部１０７から出力される映像信号に基づいて液晶パネル３２を駆動して描画を行う光変調装置駆動部１１９を備えている。
【００２３】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて表示制御部１０７、光変調装置駆動部１１９、投射光学系駆動部１２１及び光源駆動部１１７を制御して、スクリーンＳＣに映像を投射させる。
【００２４】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
【００２５】
Ｉ／Ｆ１０１には、ＰＣ１３から入力された画像データを一時的に格納するバッファー部１１０が接続されている。バッファー部１１０には、複数のＰＣ１３から入力される画像データをＰＣ１３毎に格納するため、独立した格納領域である複数の画像バッファー１１０Ａが設けられている。画像バッファー１１０Ａは、一つの記憶領域を仮想的に分割したものであってもよい。画像バッファー１１０Ａの数は任意であるが、投射画像２００（図２（Ａ））を分割する分割数すなわち領域２０１の数だけ画像バッファー１１０Ａが設けられていれば、全ての領域２０１に画像を表示できるので、好ましい。
【００２６】
表示制御部１０７は、制御部１０３の制御に従って、バッファー部１１０の画像バッファー１１０Ａに格納された画像データに基づいて、表示信号を生成し、光変調装置駆動部１１９に出力する。
ここで、表示制御部１０７は、各画像バッファー１１０Ａに格納された画像データを、図２（Ａ）に示すように表示領域を分割した各領域に並べて表示する分割表示状態と、いずれか一つの画像バッファー１１０Ａに格納された画像データを表示領域全体に表示する全領域表示状態とを切り替える画面分割処理部１２６を備えている。画面分割処理部１２６は、分割表示状態では、表示領域の分割数に対応した数の画像バッファー１１０Ａを選択し、選択した画像バッファー１１０Ａの画像を分割された各領域に割り当てて配置する。また、画面分割処理部１２６は、全領域表示状態では、表示制御部１０７はいずれか一つの画像バッファー１１０Ａを選択し、選択した画像バッファー１１０Ａの画像を表示領域全体に配置する。
【００２７】
各画像バッファー１１０Ａに格納された画像データを分割された表示領域のどの領域に割り当てるかは、予め所定の条件に基づいて決められている構成であってもよいし、ユーザーが操作パネル４５やリモコン装置（図示略）による操作を行って、所望の領域に割り当ててもよい。或いは、画面分割処理部１２６によって任意の領域に割り当てられる構成であってもよい。例えば、ＰＣ１３に割り当てられた通信ネットワーク１７上のネットワークアドレスや、ＰＣ１３がケーブル（図示略）によりＩ／Ｆ１０１に接続されている場合には各ケーブルが接続されたコネクターに対応付けて、分割された表示領域のどの領域に割り当てるかが予め決められていてもよい。また、ＰＣ１３がプロジェクター１１に接続された順番に応じて、分割された表示領域のどの領域に割り当てるかを決定してもよい。
【００２８】
表示制御部１０７は、画面分割処理部１２６の選択に従って画像バッファー１１０Ａ内の画像データを配置して一つの表示用の画像データを生成する画像生成部１２７を備えている。画像生成部１２７は、バッファー部１１０から読み出したデジタル画像データに対して、明度、コントラスト、色の濃さ、色合い、投射画像の形状等の画像の表示状態を調整してフレーム毎の表示用画像を生成し、生成した表示用画像をフレームメモリー１１５に展開する。表示制御部１０７は、フレームメモリー１１５から表示用画像を読み出し、読み出した表示用画像を光変調装置駆動部１１９に対して出力する。光変調装置駆動部１１９は、表示制御部１０７から入力される表示用画像に基づいて、液晶パネル３２を駆動する。これにより、ＰＣ１３より入力されたデジタル画像データに基づいて表示制御部１０７で処理された表示用画像が、液晶パネル３２に描画され、この画像が投射光学系３３を介して、スクリーンＳＣ上に投射画像として投射される。
【００２９】
表示制御部１０７は、制御部１０３の制御に従い、複数のＰＣ１３から入力されるデジタル画像データを並べて表示領域に分割表示するか、或いは、いずれか一つのＰＣ１３からの入力されるデータを表示領域全体に表示するかを制御する。分割表示するか、或いは、全領域表示状態で表示するかは、各ＰＣ１３から受信する画面分割制御情報に基づいて決められる。本実施形態においては、画面分割制御情報は、ユーザーが特に指示をしない場合には、画像を分割表示するように初期値が設定されている。
【００３０】
すなわち、プロジェクター１１にＰＣ１３から入力される入力画像データには、各ＰＣ１３からの入力画像をスクリーンＳＣにどのように表示するか、すなわちスクリーンＳＣにおける表示形態を指定する画面分割制御情報が含まれている。この画面分割制御情報は、ＰＣ１３がＣＰＵ１３１によってプロジェクター制御プログラムを実行することにより、生成される。このプロジェクター制御プログラムの実行中は、ＰＣ１３の入力部１３５が検出した操作により、自装置が送信する入力画像データを、上述した分割表示状態で表示するか、或いは、全領域表示状態で表示するかを指定できる。ここで指定された内容は画面分割制御情報として、画像データに付加されてプロジェクター１１に送信される。
【００３１】
表示制御部１０７は、画面分割処理部１２６によって、画像バッファー１１０Ａの入力画像データから各ＰＣ１３が生成した画面分割制御情報を検出し、いずれかのＰＣ１３から入力された画面分割制御情報が全領域表示状態を指定する場合には、そのＰＣ１３からの入力画像を全領域表示状態で表示する。また、全てのＰＣ１３から入力された画面分割制御情報が分割表示状態を指定している場合には、予め設定された画面の分割数に応じた数の画像バッファー１１０Ａを選択して、上述のように投射部３により分割表示状態で表示させる。
【００３２】
さらに、画面分割処理部１２６は、ＰＣ１３から入力された画面分割制御情報による制御とは別に、ＰＣ１３からの入力画像が所定の状態になっている場合に、そのＰＣ１３からの入力画像を自動的に全領域表示状態で表示する機能を有する。具体的には、画像検出部１２５（画像検出手段）が画像バッファー１１０Ａの各入力画像データを取得して、いずれかの入力画像データが、画像を画面全体に表示した全画面画像であることを検出した場合に、その入力画像データを投射部３により全領域表示状態で表示する。
【００３３】
図３は、ＰＣ１３がプロジェクター１１に送信する画像の例を示す図であり、図３（Ａ）は枠画像の例であり、図３（Ｂ）は全画面画像の例である。
ＰＣ１３は、通常時はＣＰＵ１３１が実行する基本ソフトウェア（オペレーティングシステム：ＯＳ）の機能として生成される背景画面に、実行中のアプリケーションプログラムの操作画像を重ねた画面をモニター１４に表示する。この場合に、プロジェクター制御プログラムの機能により、ＰＣ１３がプロジェクター１１に送信する画像データは、モニター１４に表示中の画面全体であり、例えば図３（Ａ）に示す枠画像２２０である。
枠画像２２０には、ＯＳの機能として表示されるツールバー２２１が、最下部に配置されている。このツールバー２２１は、モニター１４の画面の下端だけでなく、左端、右端、上端など端部に配置可能である。そして、ツールバー２２１を除く領域には、アプリケーションプログラムの操作画面としてのウィンドウ枠２２２が配置されている。ウィンドウ枠２２２は、所定のデザインの枠内に、例えばプレゼンテーションソフトウェア等のアプリケーションプログラムにより画像や操作用のメニューバー、或いはアイコン等が表示される。ウィンドウ枠２２２の外枠２２３のデザインは、ＯＳの仕様、及び、アプリケーションプログラムの仕様により決定される。外枠２２３の枠内には、オブジェクトとして、アプリケーションプログラムで処理中の画像が表示されている。
【００３４】
ここで、ＯＳの機能により、ＰＣ１３において全画面表示が指示されると、ＰＣ１３のＣＰＵ１３１は、ウィンドウ枠２２２に表示中の画像を、モニター１４の表示領域である画面全体に表示する。このとき、ＰＣ１３からプロジェクター１１に入力される入力画像データは、図３（Ｂ）に例示するように、ウィンドウ枠２２２に表示されていた画像を拡大した全画面画像２３０である。全画面画像２３０においては、ＰＣ１３のＯＳが表示していたツールバー２２１や、外枠２２３は表示されておらず、図３（Ａ）で外枠２２３内に表示されていたオブジェクトが全体に表示され、その周縁は黒色で縁取られている。
【００３５】
プロジェクター１１の画像検出部１２５は、ＰＣ１３からの入力画像データが、枠画像であるのか、全画面画像であるのかを判定し、全画面画像になっている入力画像データを検出する。記憶部１０５には、プレゼンテーションソフトウェア等のＰＣ１３で実行される主要なアプリケーションソフトウェアと、主要なＯＳに対応して、ツールバー２２１及び外枠２２３のデザインの特徴を示す情報が、予め記憶されている。すなわち、ツールバー２２１及び外枠２２３のサイズ（画素数）、色、形状等の特徴を、１または複数のＯＳ及びアプリケーションプログラムについて記憶している。画像検出部１２５は、この記憶部１０５に記憶された情報に基づいて、画像バッファー１１０Ａの各入力画像データからツールバー２２１または外枠２２３を検出し、ツールバー２２１も外枠２２３も検出されない場合には、その入力画像データを全画面画像と判定し、所定の状態となっている入力画像データとして検出する。画面分割処理部１２６は、この検出された入力画像データを全領域表示状態で表示する。
また、画像検出部１２５が、所定の状態となっているデータを検出しなかった場合には、画面分割処理部１２６は、各ＰＣ１３から受信する画面分割制御情報に基づいて、表示領域を複数の画面に分割して、上述した分割表示状態で表示する。
【００３６】
続いて、プロジェクター１１の動作について説明する。
図４は、プロジェクター１１の動作を示すフローチャートである。
プロジェクター１１は、外部の複数のＰＣ１３から画像と、画像分割制御情報とを受信する（ステップＳ１）。プロジェクター１１は、各ＰＣ１３から送信された画像をＩ／Ｆ１０１を介して取得し、ＰＣ１３ごとに、取得した画像をバッファー部１１０の各画像バッファー１１０Ａに格納する（ステップＳ２）。ここで、プロジェクター１１は、現在の表示状態を取得する（ステップＳ３）。すなわち、スクリーンＳＣに投射中の画像が、分割表示状態か、或いは、全領域表示状態かを取得する。
続いて、プロジェクター１１は、表示制御部１０７の画像検出部１２５によって、各画像バッファー１１０Ａの入力画像データから、全画面画像となっている入力画像データを検出する（ステップＳ４）。そして、いずれかのＰＣ１３が全画面表示中であり、全画面画像となっている入力画像データがあるか否かを判定し（ステップＳ５）、全画面表示中のＰＣ１３がある場合（ステップＳ５：Ｙｅｓ）、ステップＳ３で取得した表示状態が全領域表示状態であるか否かを判定する（ステップＳ６）。
【００３７】
表示状態が全領域表示状態である場合（ステップＳ６：Ｙｅｓ）、プロジェクター１１は、全領域表示状態の状態を維持するとともに、ステップＳ４で検出された入力画像データを全領域表示状態で表示するよう表示中の画像を更新する（ステップＳ７）。つまり、プロジェクター１１は、すでに全領域表示状態で表示中の画像がある状態で、他のＰＣ１３の入力画像データが全画面画像（所定の状態）となったことを検出した場合には、表示する入力画像データを、新たに検出された入力画像データに切り替えて、全領域表示状態で表示する。
一方、現在の表示領域の表示状態が分割表示状態である場合（ステップＳ６：Ｎｏ）、プロジェクター１１は、表示状態を全領域表示状態に切り替えて、ステップＳ４で検出した入力画像データを表示する（ステップＳ８）。
【００３８】
また、プロジェクター１１は、画像検出部１２５によって、全画面画像となっている入力画像データが無いと判定した場合（ステップＳ５：Ｎｏ）、ステップＳ３で取得した表示状態が全領域表示状態か否かを判定する（ステップＳ９）。全領域表示状態である場合（ステップＳ９：Ｙｅｓ）、プロジェクター１１は、全領域表示状態を解除し（ステップＳ１０）、画面分割処理部１２６の機能により、設定に従って分割表示状態に移行し、各ＰＣ１３から入力された画像を分割された各領域に表示する（ステップＳ１１）。また、現在の表示状態が分割表示状態である場合（ステップＳ９：Ｎｏ）、プロジェクター１１は、分割表示状態を継続する（ステップＳ１１）。プロジェクター１１は、投射が終了されたか否かを判別し（ステップＳ１２）、投射が終了された場合には、動作を終了する。
【００３９】
図５は、プロジェクター１１の動作を示すフローチャートであり、詳細には、画像検出部１２５によって全画面画像となっている入力画像データを検出する動作を示す。
図５に示す処理は、画像検出部１２５が、複数のＰＣ１３から入力された各画像が供給元のＰＣ１３で全画面表示中であるかを検出する処理である。画像検出部１２５は、この定義済み処理を、バッファー部１１０に格納した全ての入力画像データに対する処理が終了するまで繰り返す。
画像検出部１２５は、バッファー部１１０の各画像バッファー１１０Ａ内に格納された画像を読み出して（ステップＳ２１）、この画像中のツールバーの有無を判別する。ツールバーは、図３（Ａ）に示したツールバー２２１のように、画面の上下、或いは、左右の辺（端）に沿って配置される帯状のＧＵＩ（Graphical User Interface）である。一般に、ツールバーのサイズ（幅）は、使用中のＯＳの仕様と、画面解像度の設定によって決まっていて、上述のように、ＯＳ毎のツールバーの特徴を示す情報が記憶部１０５に記憶されている。また、ツールバーの色は通常、黒色以外の色である。一方、入力画像が全画面画像である場合は、図３（Ｂ）に示したように、画像は黒色の枠内に表示されることが一般的である。画像検出部１２５は、これらの条件に基づいて画像のツールバーの有無を判別する。
【００４０】
画像検出部１２５は、画像バッファー１１０Ａから画像を取得して、取得した画像の画面の上下左右端で、黒以外の所定以上の長さの線を検出し（ステップＳ２２）、該当する線があるか否かを判定する（ステップＳ２３）。ここで検出される線は、直線状に繋がる同色の画素の配列、或いは、予め記憶しているツールバーの色と同じ配色からなる線である。画面の上下左右端のいずれかに、黒以外の所定以上の長さの線がある場合（ステップＳ２３：Ｙｅｓ）、画像検出部１２５は、ステップＳ２２で検出した線の色を特定する（ステップＳ２４）。続いて、画像検出部１２５は、ＰＣ１３が使用中のＯＳのツールバーのサイズ（幅）に合わせてステップＳ２２で検出した対象線を移動し、この対象線と同色の所定以上の長さの線を検出し（ステップＳ２５）、該当する線があるか否かを判定する（ステップＳ２６）。ＰＣ１３が使用するＯＳが不明な場合、画像検出部１２５は、記憶部１０５に特徴を記憶している全てのＯＳのツールバーの特徴を用いて、ステップＳ２５〜Ｓ２６の処理を繰り返し実行する。いずれか一つのＯＳの特徴に対応する線がある場合は、ステップＳ２６ではＹｅｓと判定する。
【００４１】
ステップＳ２３、及び、ステップＳ２６がともにＹｅｓの場合、画面の上下左右いずれかの端に、黒以外の所定以上の長さで、使用中のＯＳ、及び、画面解像度の設定に応じた幅のツールバーがあると判別される。この場合、画像検出部１２５は、画像バッファー１１０Ａに格納された画像の供給元のＰＣ１３は全画面表示中でないと判定する（ステップＳ２７）。その後、画像検出部１２５は、全ＰＣ１３に対する処理が終了したかを判定する（ステップＳ２９）。画像検出部１２５は、例えば、ツールバーの検出処理が終了したＰＣ１３に対してフラグを立てて、全ての画像検出部１２５に対してフラグが立ったときに全ＰＣ１３に対するツールバーの検出処理が終了したと判定する構成であってもよい。
全てのＰＣ１３からの入力画像データに対するツールバーの検出処理が終了していない場合（ステップＳ２９：Ｎｏ）、画像検出部１２５は、ステップＳ２１に戻って、まだツールバーの検出処理が終了していない入力画像データを画像バッファー１１０Ａから取得して、上記の処理を実行する。全てのＰＣ１３に対するツールバーの検出処理が終了したと判定した場合は（ステップＳ２９：Ｙｅｓ）、画像検出部１２５は図５の定義済み処理を終了する。
【００４２】
また、画像検出部１２５は、画像バッファー１１０Ａから取得した入力画像データに黒以外の所定以上の長さの線が無いと判定した場合（ステップＳ２３：Ｎｏ）、この入力画像データを送信したＰＣ１３が全画面表示中であると判定する（ステップＳ２８）。
また、取得した画像の画面の上下左右の端に黒以外の所定以上の長さの線があると判定した場合であっても（ステップＳ２３：Ｙｅｓ）、ツールバーのサイズ（幅）に合わせてステップＳ２２で検出した対象線を移動した場合に対象線と同色の所定以上の長さの線が無いと判定した場合には（ステップＳ２６：Ｎｏ）、画像検出部１２５は、この入力画像データを送信したＰＣ１３が全画面表示中であると判定する。
【００４３】
次に、プロジェクター１１が実行する全画面表示中のＰＣ１３を検出する定義済み処理の別の例について説明する。図５の定義済み処理は、入力画像データにおけるツールバーの有無に基づいて入力画像データが全画面画像か否かを判定する処理であったが、アプリケーションソフトウェアのウィンドウ枠の有無に基づいて入力画像データが全画面画像か枠画像か判定することも可能である。この場合の動作について図６を参照して説明する。
【００４４】
図６は、プロジェクター１１の動作を示すフローチャートであり、詳細には、画像検出部１２５によって全画面画像となっている入力画像データを検出する動作を示す。
この図６の処理は、図５の処理に変えて実行されるもので、画像検出部１２５は、バッファー部１１０に格納した全ての入力画像データに対する処理が終了するまで図５の処理と同様に繰り返す。
【００４５】
画像検出部１２５は、まず、バッファー部１１０から、画像バッファー１１０Ａ内に格納された画像を取得する（ステップＳ３０）。次に、画像検出部１２５は、記憶部１０５に予め記憶されている主要アプリケーションソフトウェアのウィンドウ枠形状の特徴パターンを取得し（ステップＳ３１）、これらのウィンドウ枠形状の特徴パターンを用いて、画像バッファー１１０Ａから取得した入力画像データ中のウィンドウ枠を検出し（ステップＳ３２）、ウィンドウ枠があるか否かを判定する（ステップＳ３３）。
【００４６】
ウィンドウ枠があると判定すると（ステップＳ３３：Ｙｅｓ）、画像検出部１２５は、画像バッファー１１０Ａに格納された画像の供給元のＰＣ１３が非画面表示中であって、入力画像データが枠画像であると判定する（ステップＳ３４）。
一方、ウィドウ枠が無いと判定すると（ステップＳ３３：Ｎｏ）、画像検出部１２５は、この入力画像データについて、記憶部１０５に格納された画像の前回のウィンドウ枠の検出結果を取得する（ステップＳ３５）。ここで、前回のウィンドウ枠の検出結果、及び、前回の全画面画像／枠画像の判定結果は、記憶部１０５に記憶されているものとする。また、同一の入力画像データであることは、その入力画像データを送信したＰＣ１３のアドレスやその他の識別情報、或いは、バッファー部１１０に付された識別情報をもとに判定できる。画像検出部１２５は、記憶部１０５から取得した前回のウィンドウ枠の検出結果を判定し（ステップＳ３６）、前回はウィンドウ枠ありと判定されていた場合（ステップＳ３６：Ｙｅｓ）、入力画像データは全画面画像であり、ＰＣ１３が全画面表示中であると判定する（ステップＳ３７）。すなわち、入力画像データ中にウィンドウ枠がなく、前回の処理時にウィンドウ枠があったので、ＰＣ１３においてウィンドウ枠の表示状態から全画面表示への切り替えが行われたと判定する。
【００４７】
一方、前回はウィンドウ枠が無いと判定されていた場合（ステップＳ３６：Ｎｏ）、画像検出部１２５は、さらに前（前々回）の判定結果が全画面画像か枠画像かを判定する（ステップＳ３８）。ここで、全画面画像であると判定されていた場合（ステップＳ３８：Ｙｅｓ）、画像検出部１２５は、この入力画像データが全画面画像であると判定する（ステップＳ３７）。つまり、以前にウィンドウ枠が検出された入力画像データからウィンドウ枠が検出されていないので、ＰＣ１３においてウィンドウ枠の表示状態から全画面表示への切り替えが行われたと判定する。
【００４８】
また、前回及び前々回の判定で枠画像と判定されていた場合（ステップＳ３８：Ｎｏ）、画像検出部１２５は、この入力画像データが枠画像であって、この入力画像データを送信したＰＣ１３は全画面表示中でないと判定する（ステップＳ３４）。つまり、ＰＣ１３で、記憶部１０５に特徴を記憶していないアプリケーションプログラムのウィンドウ枠が表示されていると判定する。
画像検出部１２５は、全ＰＣ１３に対するウィンドウ枠の検出処理が終了したと判定した場合に（ステップＳ３９：Ｙｅｓ）、図６の処理を終了する。
この図６の処理によれば、記憶部１０５に特徴を記憶しているアプリケーションプログラム、すなわち対応済みのアプリケーションプログラムがＰＣ１３で使用され、ＰＣ１３で全画面表示された場合に、プロジェクター１１により全領域表示状態で表示することができる。
【００４９】
以上説明したように、本発明を適用した実施形態に係るプロジェクター１１は、ＰＣ１３から入力された入力画像データを表示する投射部３と、スクリーンＳＣ上の表示領域を複数の領域に分割し、分割した各領域に、複数のＰＣ１３の各々から入力される複数の入力画像データを表示する分割表示状態と、いずれか一つの入力画像データを表示領域全体に表示する全領域表示状態とを切り替える表示制御部１０７と、いずれかの入力画像データが所定の状態であることを検出する画像検出部１２５と、を備え、表示制御部１０７は、画像検出部１２５によっていずれかの入力画像データが所定の状態であると検出された場合に、検出された入力画像データを、投射部３によって全領域表示状態で表示させる。これにより、複数のＰＣ１３から入力される入力画像データのうち、いずれかの入力画像データが所定の状態になると、この入力画像データが表示領域全体に表示されるので、分割表示状態からの切り替えを指示する操作や表示領域全体に表示する入力画像データを指定する操作等を行わなくても、容易に表示状態を切り替えさせ、所望の入力画像データを表示領域全体に表示できる。
【００５０】
また、画像検出部１２５は、入力画像データが、画像内にウィンドウ枠が設けられてウィンドウ枠内にオブジェクトが表示された枠画像か、又は、画像内にウィンドウ枠のない状態でオブジェクトが画像全体に表示された全画面画像かを判別し、全画面画像であった場合に、この入力画像データが所定の状態であることを検出するので、ＰＣ１３から入力される入力画像データが、ウィンドウ枠がない全画面画像であれば、この入力画像データが表示領域全体に表示される。従って、ＰＣ１３が出力する画像の状態すなわちＰＣ１３のモニター１４における表示状態を制御するだけで、プロジェクター１１の表示状態を切り替えさせて、所望の入力画像データを表示領域全体に表示できる。
例えば、ＰＣ１３において画像を全画面表示にする、或いは、スライドショー形式で表示するという簡単な操作を行うだけで、プロジェクター１１がスクリーンＳＣに表示する画像を、全領域表示状態に切り替えることができる。
【００５１】
また、画像検出部１２５は、所定の状態であると検出された入力画像データが、所定の状態でなくなったことを検出し、表示制御部１０７は、全領域表示状態から分割表示状態に切り替えるので、分割表示状態への切り替えを指示する操作等を行うことなく、容易に分割表示状態に戻すことができる。
【００５２】
また、表示制御部１０７は、全領域表示状態で表示中に、画像検出部１２５によって他のＰＣ１３から入力される入力画像データが所定の状態であることが検出された場合に、この新たに所定の状態であることが検出された入力画像データを全領域表示状態で表示するので、ＰＣ１３が出力する画像の状態を制御するだけで、入力画像データの切り替え等を指示する操作を行うことなく、スクリーンＳＣの表示領域全体に表示する画像を切り替えることができる。
また、プロジェクター１１は、ＰＣ１３から入力画像データが入力されるデジタルインターフェイスとしてのＩ／Ｆ１０１を備え、このＩ／Ｆ１０１を介してＰＣ１３から入力されたデジタル画像データを表示するので、画質を劣化させることなく表示することができ、さらに、デジタル処理によって入力画像データが所定の状態であることを容易に検出できる。
【００５３】
なお、上述した実施形態は本発明を限定するものではなく、上記実施形態とは異なる態様として本発明を適用することも可能である。例えば、上記実施形態では、プロジェクター１１に接続された４台のＰＣ１３から入力される画像を並べて分割表示する、或いは、４台のうちいずれか１台から入力される画像を単独で全画面表示する場合を例に説明したが、プロジェクター１１に４台より少数またはより多数のＰＣ１３を接続してもよく、スクリーンＳＣに分割表示状態で表示する入力画像データを適宜選択できる構成としてもよい。さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の直視型の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。なお、表示装置が液晶テレビ等の直視型の表示装置である場合、表示領域とは、当該表示装置が備える画像を表示するための領域そのものを示す。
【００５４】
例えば、上記実施形態では、光源が発した光を変調する変調手段として、ＲＧＢの各色に対応した３枚の透過型または反射型の液晶パネル３２を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、変調部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
【００５５】
また、上記実施形態において記憶部１０５が記憶していた制御プログラム、及び、表示制御部１０７の各機能の検出結果を不図示の不揮発性メモリーが記憶する構成であってもよいし、可搬型の記録媒体に記憶されている構成であってもよいし、或いは、プロジェクター１１が通信ネットワークを介して接続された他の装置にダウンロード可能に記憶されていてもよい。また、図１に示したプロジェクター１１の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１１の具体的な細部構成について、本発明の趣旨を逸脱しない範囲で任意に変更可能である。
【符号の説明】
【００５６】
３…投射部（表示手段）、１０…表示システム、１１…プロジェクター（表示装置）、１４…モニター、１３…ＰＣ（画像供給装置）、１７…通信ネットワーク、１０１…Ｉ／Ｆ（デジタルインターフェイス）、１０３…制御部、１０５…記憶部、１０７…表示制御部（表示制御手段）、１１０…バッファー部、１１０Ａ…画像バッファー、１２５…画像検出部（画像検出手段）、１２６…画面分割処理部、１２７…画像生成部、１３１…ＣＰＵ、１３６…表示部、２００、２１０…投射画像、２０１…領域、２２０…枠画像、２３０…全画面画像、ＳＣ…スクリーン。
【図１】
2012220595.tif 000003
【図２】
2012220595.tif 000004
【図３】
2012220595.tif 000005
【図４】
2012220595.tif 000006
【図５】
2012220595.tif 000007
【図６】
2012220595.tif 000008